(57)【要約】【構成】ケーブルひも結束用具（１０） は、動力アシステッドシリンダ（１４）　を含み、このシリンダはピストル型ハウジング（１２） の銃把部分（５２） 内に設けられ、フレキシブルケーブル（２２） がシリンダのピストンロッド（１８） と用具の張力付与機構および切断機構との間に延びる。ケーブルを可動的に支持しかつそのケーブルの進行方向を方向づける第１および第２プーリ（３０，３２） が設けられる。【効果】軽量で操作性のよい、半自動動力アシステッド結束用具が得られる。【選択図】図１
2004504155.tif 000002
【特許請求の範囲】
【請求項１】
頭部とその頭部から延びる長手の尾部とを含むケーブルひもの結束のための用具であって、
前記ケーブルひもに所定のテンションの張力を付与する張力付与機構とその張力付与されたケーブルひもから前記尾部の余剰部分を切断する切断機構とを作動的に支持する、かつ銃身部分と銃把部分とを有する略ピストル型のハウジング、
前記張力付与／切断機構を作動させるための可動ピストンロッドを有し、前記銃把部分内に設けられかつその銃把部分とほぼ整列する動力作動シリンダ、および
前記ピストンロッドを前記張力付与／切断機構に結合し、それによって前記ピストンロッドの動きが前記張力付与／切断機構を動作させるようにする駆動列を備える、結束用具。
【請求項２】
前記駆動列は前記ピストンロッドを前記張力付与／切断機構に結合するためのフレキシブルケーブルを含む、請求項１記載の結合用具。
【請求項３】
第１および第２プーリをさらに備え、
前記第１プーリは前記ピストンロッドと実質的に一直線に設けられ、それによって前記ピストンロッドと前記第１プーリとの間で延びる前記ケーブルの第１部分が前記ピストンロッドと実質的に同軸的に整列され、そして
前記第２プーリは前記張力付与／切断機構と実質的に一直線に設けられ、それによって前記第２プーリと前記機構との間で延びる前記ケーブルの第２部分が前記機構と実質的に同軸的に整列される、請求項２記載の結束用具。
【請求項４】
前記ハウジングの前記銃身部分に沿って延び、前記張力付与／切断機構を作動させるための作動ロッドをさらに備え、前記作動ロッドは前記ハウジングの前記銃把部分に最も近く位置決めされた第１端を含み、さらに
前記ピストンロッドへ接続される第１接続キャップ、および
前記作動ロッドの前記第１端へ接続される第２接続キャップを備え、
前記ケーブルは前記第１および第２接続キャップ間で延びかつ前記第１および第２プーリによって可動的に支持される、請求項３記載の結束用具。
【請求項５】
前記第１接続キャップは前記ピストンロッドに螺合するように形成される、請求項４記載の結束用具。
【請求項６】
前記第２接続キャップを前記作動ロッドの前記第１端に結合するためのピンをさらに備える、請求項４記載の結束用具。
【請求項７】
前記ハウジングはポリマフレーム構造（ｐｏｌｙｍｅｒ ｉｎ ｆｒａｍｅ ｃｏｎｓｔｒｕｃｔｉｏｎ）を含む、請求項１記載の結束用具。
【請求項８】
前記動力作動シリンダは流体シリンダを含む、請求項１記載の結束用具。
【請求項９】
前記ハウジングの前記銃把部分内に設けられた組立ブロックをさらに備え、前記組立ブロックは前記銃把部分内において前記シリンダを固定的に支持するように形成される、請求項８記載の結束用具。
【請求項１０】
前記シリンダに作動的に接続された引金をさらに備え、前記引金は前記ハウジングに対して可動的に取り付けられる、請求項８記載の結束用具。
【発明の詳細な説明】
【０００１】
【発明の分野】
この発明はケーブルひもの結束用具に関し、より特定的には、この発明は、ケーブルひも（ｃａｂｌｅ ｔｉｅ）に張力を付与しかつ切断するための改良された半自動用具に関する。
【０００２】
【従来の技術】
当業者によく知られているように、電線や電気ケーブルのような一群の物品を結束しあるいは固定するためにケーブルひも（またはストラップ）が使用されている。従来の構造のケーブルひもは、ケーブルひも頭部（ｈｅａｄ） とそこから延びる長手の尾部（ｔａｉｌ） とを含む。尾部は、ひとかたまりの物品に巻き付けられ、そしてその後、頭部にある通路を通して挿入される。ケーブルひもの頭部は、典型的には、その頭部通路中に延びるかつ尾部を頭部へ固着するためにその尾部に係合するロック要素を支持する。
【０００３】
実際には、結束用具は、ひとかたまりにされるべき物品の周りにひもを手動的に置き、頭部通路を通して尾部を挿入し、次いで、束の周りにひもを手動的に締め付ける。この時点で、ケーブルひも結束用具はケーブルひもに所定の張力を付与するために使用される。
【０００４】
【発明が解決しようとする課題】
従来技術の用具は、手動的に作動させる用具と動力の助けを借りた（動力アシステッド：ｐｏｗｅｒ−ａｓｓｉｓｔｅｄ） 用具とを含む。当業者に評価されているように、手動作動用具は引金機構（ｔｒｉｇｇｅｒ ｍｅｃｈａｎｉｓｍ） を物理的に押し付けている結束具の結果として作動するし、他方、動力アシステッド用具は、典型的には流体シリンダ／ピストンを介するすることによって動作される。そのような従来技術の動力アシステッド用具について見れば、この流体シリンダ／ピストンは用具のハンドルの上に水平に配置され、用具の作動ロッドと一直線される。しかしながら、オペレータの手の上に流体シリンダ／ピストンを配置するということは、用具の全体へのアンバランスな重量分布を結果として生じ、そしてそれを取り扱うのがかなり困難であり、オペレータの疲労を増大させることになる。
【０００５】
それゆえに、人間工学的でかつユーザフレンドリである半自動ケーブルひも結束用具がこの技術分野において必要とされている。この技術分野において、軽量化され、信頼性が高くてコンパクトでしかも容易に製造できる半自動ケーブルひも結束用具がさらに必要とされている。
【０００６】
したがって、この発明の目的は、これらの要望を満たすことができる、ケーブルひもの結束用具を提供することである。
【０００７】
【課題を解決するための手段】
従来技術の必要性に対処するこの発明は、ケーブルひもの結束用具に関する。このケーブルひもは、頭部とその頭部から延びる長手の尾部とを含む。用具は、銃身部分と銃把部分とを有する略ピストル型のハウジングを含み、ハウジングはケーブルひもに所定の張力を付与するための張力付与機構とその張力が付与されたケーブルひもから尾部の余剰部分を切断する切断機構とを作動的に支持する。用具は、さらに、張力付与／切断機構を作動させるための可動ピストンロッドを有する動力作動シリンダ（ｐｏｗｅｒ−ａｃｔｕａｔｅｔｄ ｃｙｌｉｎｄｅｒ） を含む。このシリンダは、銃把部分内にそれとほぼ整列して設けられる。最後に、この用具は、ピストンロッドを張力付与／切断機構に結合させ、それによってピストンロッドの動きが張力付与／切断機構を動作させるようにする駆動列を含む。
【０００８】
【作用および効果】
この発明によれば、軽量化されかつよりよい操作性能を有する、人間工学的に改良された動力アシステッド用具を提供することができる。さらに、この発明は、従来技術の動力アシステッド用具の高速サイクルの特徴を維持しながら、しかし改良された張力付与機構および切断機構のテクノロジを取り入れているケーブルひも結束装具を提供する。
【０００９】
この発明の上述の目的，その他の目的，特徴および利点は、図面を参照して行う以下の実施例の詳細な説明から一層明らかとなろう。
【００１０】
【実施例】
この用具は、任意の長さの１８〜１２０ポンド（１ポンド＝０．４５４ｋｇ）のひもを適用できる、人間工学的でありかつユーザフレンドリな半自動ケーブルひも結束用具を提供する。なお、ケーブルひもは、従来と同様に、ケーブルひも頭部とそこから延びる長手の尾部とを含む。
【００１１】
図面を参照して、この発明に従った半自動ケーブルひも結束用具１０は図１〜図４に示される。用具１０は、ピストル型のハウジング１２を含む（明瞭化のためにそれの一部分が除去されている）。そして、このハウジング１２は銃身部分５０と銃把部分５２とを含む。
【００１２】
図示するように、用具１０はその用具の銃把部分５２内に設けられている流体シリンダ１４を含む。シリンダ１４は、組立ブロック１６を介してあるいは任意の他の便宜的態様で、銃把部分内に固着される。説明したように、この用具の銃把部分内のシリンダの位置がよりよい重量バランス分布を作り、したがって、用具の取り扱いの容易性や人間工学的な側面を改良している。圧縮空気源（図示せず）がシリンダ１４に接続され、引金作動バルブ（ｔｒｉｇｇｅｒ−ａｃｔｕａｔｅｄ ｖａｌｖｅ：図示せず）を介して動作される。この態様で、オペレータが引金５４を作動させると、圧縮空気（典型的な空気圧は８５ｐｓｉ（ｐｏｕｎｄ−ｆｏｒｃｅ ｐｅｒ ｓｑｕａｒｅ ｉｎｃｈ：ポンド力毎平方インチ）がシリンダ１４に向けられる。なお、このシリンダ１４は単一動作のばね伸長タイプのものである。
【００１３】
図示するように、シリンダから延びるピストンロッド１８が軸Ｐに沿って用具の銃身部分に向かって上方向に導かれる。結果的に、ピストンロッド１８は作動ロッド２０（図４に最もよく示される）に角度をもって配向される。作動ロッドは水平方向内（軸Ｔによって規定される銃身部分の長さに沿って延びる方向）において作動されなければならないので、プーリ／ケーブルシステムがピストンロッド１８を作動ロッド２０へ結合するために用いられる。
【００１４】
より詳しく説明すると、このケーブルシステムは（フレキシブル）ケーブル２２を含み、このケーブル２２は一方端に固着される螺合接続キャップ２４を有する。このキャップ２４はピストンロッドの一方端に螺合できるサイズを有する。もちろん、ピストンロッド１８へ接続キャップ２４の他の手段がここで考慮される。第２接続キャップがケーブル２２の他方端に設けられる。接続キャップ２６は、好ましくは、ピン５６を介して作動ロッド２０へ接続され、そのピン５６は、キャップ２６に形成された孔２８を通してかつ作動ロッド２０に形成された対応する孔を通して延びる。このキャップ２６は他の態様でロッド２０に結合され得る。ケーブル／プーリアセンブリはさらに１対のプーリ３０および３２を含み、それらプーリ３０および３２はピストンロッド１８の（軸Ｐに沿う）動きを作動ロッド２０と一直線の（軸Ｔに沿う）動きに変換するように働く。特に、プーリ３０はピストンロッドに対するケーブルの整列状態を維持するためにピストンロッド１８の直前に配置され、プーリ３２は作動ロッド２０に一直線上に配置される。
【００１５】
ここで示す実施例の用具は、３８０−Ｔ６アルミニウム構造を用いる従来技術の用具とは逆に、ポリマフレーム構造（ｐｏｌｙｍｅｒ ｉｎ ｆｒａｍｅ ｃｏｎｓｔｒｕｃｔｉｏｎ） を用いる。このポリマフレーム構造は総重量０．９６ポンド（１ポンド＝０．４５４ｋｇ）について約０．２４ポンドの軽量化を可能にする。３８０−Ｔ６アルミニウムで形成される従来技術の用具の総重量は１．２ポンドである。
【００１６】
用具１０の張力付与（ｔｅｎｓｉｏｎｉｎｇ）／切断 （ｃｕｔｏｆｆまたはｃｕｔｔｉｎｇ） 機構６０は、詳細には、本件出願人の所有するアメリカ合衆国特許第５，９１５，４２５号に説明されていて、その説明が参照によってここに取り入れられる。この点に関し、用具１０は好ましくは、ノーズ（ｎｏｓｅ） 部分５８を含み、このノーズ部分５８は角度調整機能を提供し、それによって、結束の現場に対する種々の配向においてケーブルひもの結束を容易にする。用具１０はまた、好ましくは、可調節張力付与機構６０を含み、この張力付与機構６０は張力設定レベルの素早い調節性（ａｄｊｕｓｔａｂｉｌｉｔｙ） を提供し、テンション設定レベルを容易に見せることができ、さらに用具の衝撃／振動、埃あるいは他の環境的な条件による損傷に抵抗する可調節張力設定機構を提供する。最後に、この用具１０の張力付与／切断機構は、結束されたケーブルひもからのケーブルひも尾部を切断する間、跳ね返るショック／振動を減じおよび／または除去する。
【００１７】
この発明が或る好ましいもしくは例示的な実施例を参照して説明された。ここで説明された好ましいもしくは例示的な実施例は、特許請求の範囲から離れることなく、修正され、変更されあるいは付け加えられもしくは変化され得て、そのようなすべての付加、修正、訂正および／または変更は特許請求の範囲内のものとして考慮される。
【図面の簡単な説明】
【図１】図１はこの発明の一実施例の半自動ケーブルひも結束用具を、明瞭化のためにそのハウジングの一部を除去して、示す斜視図である。
【図２】図２は図１の用具の拡大図である。
【図３】図３は図１の用具の他の拡大図である。
【図４】図４は図１の用具のさらに他の拡大図である。
【符号の説明】
１０　…ケーブルひも結束用具
１２　…ハウジング
１４　…シリンダ
１８　…ピストンロッド
２０　…作動ロッド
２２　…ケーブル
２４　…第１（螺合）接続キャップ
２６　…第２接続キャップ
３０，３２　…プーリ
５０　…銃身部分
５２　…銃把部分
５４　…引金
６０　…張力付与機構
【図１】
2004504155.tif 000003
【図２】
2004504155.tif 000004
【図３】
2004504155.tif 000005
【図４】
2004504155.tif 000006
【国際公開パンフレット】
2004504155.tif 000007
2004504155.tif 000008
2004504155.tif 000009
2004504155.tif 000010
2004504155.tif 000011
2004504155.tif 000012
2004504155.tif 000013
2004504155.tif 000014
2004504155.tif 000015
2004504155.tif 000016
2004504155.tif 000017
【国際調査報告】
2004504155.tif 000018